(57)【要約】【課題】流量が脈動的に変化して流される流体の流量積算値の計測に適した電磁流量計の提供を目的とする。【解決手段】本実施形態の電磁流量計４０は、定量ポンプ２４の停止により前回の脈流を検出してから基準脈動期間Ｌｓを経過しても次の脈流が検出されず、流量ｄＳが実質的にゼロであると判別される期間の流量ｄＳは流量積算値Ｑに含めずに、定量ポンプ２４が正常に作動して基準脈動期間Ｌｓより短い間隔で脈流が発生している期間の流量ｄＳは、もれなく流量積算値Ｑに含めるから、流量ｄＳが脈動的に変化して流される流体の流量積算値Ｑの計測にも適する。【選択図】図２
2008107113.tif 000002
【特許請求の範囲】
【請求項１】
定量ポンプの作動により、流量が脈動的に変化して流される流体の流量積算値を計測する電磁流量計であって、
基準脈動期間と、基準ピーク値とが予め設定され、
前記流量が前記基準ピーク値を超えたか否かによって前記流体の脈流の有無を検出する脈流検出手段と、
前記脈流検出手段が検出した脈流の発生間隔が、前記基準脈動期間より短いか否かによって前記定量ポンプが作動中であるか否かを判別する作動判別手段とを備え、
前記作動判別手段により前記定量ポンプが作動中ではないと判別した非作動期間中の前記流量を前記流量積算値から排除し、前記作動判別手段により前記定量ポンプが作動中であると判別した作動期間中の前記流量を前記流量積算値に含めて演算する流量積算値演算手段を備えたことを特徴とする電磁流量計。
【請求項２】
前記基準ピーク値より小さい平均基準値が予め設定され、
所定期間における前記流量の平均値が、前記平均基準値以上である流体流動中であるか否かを判別する平均流量判別手段を備え、
前記流量積算値演算手段は、前記作動判別手段により前記定量ポンプが作動中でないと判別され、かつ、前記平均流量判別手段により流体流動中であると判別された異常流動期間中の前記流量を前記流量積算値に含めて演算するように構成したことを特徴とする請求項１に記載の電磁流量計。
【請求項３】
前記作動判別手段により前記定量ポンプが作動中でないと判別され、かつ、前記平均流量判別手段により流体流動中であると判別された場合に、異常の報知を行う異常報知手段を備えたことを特徴とする請求項２に記載の電磁流量計。
【発明の詳細な説明】
【技術分野】
【０００１】
本発明は、定量ポンプの作動により、流量が脈動的に変化して流される流体の流量積算値を計測する電磁流量計に関する。
【背景技術】
【０００２】
電磁流量計は、流体に磁界を付与し、その流体に発生した誘起電圧に基づいて流量及び流量積算値を計測する構成になっている（例えば、特許文献１参照）。従って、羽根車式流量計（例えば、特許文献２参照）やギヤ式流量計（容積式流量計）のように流体に接触する可動部を有した流量計による計測に適さない流体（例えば、異物や結晶等が混入し得る流体）にも使用することができる。
【特許文献１】特許第２５６８６２０号公報（請求項１、図１０）
【特許文献２】特開２００３−２０７３７７号公報（段落［００２３］，［００４１］請求項１、図１）
【発明の開示】
【発明が解決しようとする課題】
【０００３】
ところで、一般に電磁流量計では、流体が静止している状態（実際の流量がゼロの状態）で流量の計測値が不安定であるため、所定期間における流量の計測値の平均が、予め設定した平均基準値未満である場合には、その所定期間における流量を、一律ゼロと見なして流量積算値を演算する（換言すれば、流量積算値から除外する）機能を備えていた。
【０００４】
ところが、定量ポンプ等の作動により、流量が脈動的に変化して流される流体を、上記した機能を有する従来の電磁流量計で計測すると、脈流の発生間隔が長くなった場合に、所定期間における流量の計測値の平均が平均基準値未満となって、その所定期間中に発生した脈流による流量を流量積算値に含めることができないという事態が生じ得る。このため、従来の電磁流量計は、流量が脈動的に変化して流される流体の計測には適さなかった。
【０００５】
本発明は、上記事情に鑑みてなされたもので、流量が脈動的に変化して流される流体の流量積算値の計測に適した電磁流量計の提供を目的とする。
【課題を解決するための手段】
【０００６】
上記目的を達成するためになされた請求項１の発明に係る電磁流量計は、定量ポンプの作動により、流量が脈動的に変化して流される流体の流量積算値を計測する電磁流量計であって、基準脈動期間と、基準ピーク値とが予め設定され、流量が基準ピーク値を超えたか否かによって流体の脈流の有無を検出する脈流検出手段と、脈流検出手段が検出した脈流の発生間隔が、基準脈動期間より短いか否かによって定量ポンプが作動中であるか否かを判別する作動判別手段とを備え、作動判別手段により定量ポンプが作動中ではないと判別した非作動期間中の流量を流量積算値から排除し、作動判別手段により定量ポンプが作動中であると判別した作動期間中の流量を流量積算値に含めて演算する流量積算値演算手段を備えたところに特徴を有する。
【０００７】
なお、念のために述べておくが、本発明における「流量」とは、ある断面を単位時間当たりに通過した流体の体積のことであり、「流量積算値」とは、その単位時間当たりに通過した体積をある期間に亘り積算した値のことである。
【０００８】
請求項２の発明は、請求項１に記載の電磁流量計において、基準ピーク値より小さい平均基準値が予め設定され、所定期間における流量の平均値が、平均基準値以上である流体流動中であるか否かを判別する平均流量判別手段を備え、流量積算値演算手段は、作動判別手段により定量ポンプが作動中でないと判別され、かつ、平均流量判別手段により流体流動中であると判別された異常流動期間中の流量を流量積算値に含めて演算するように構成したところに特徴を有する。
【０００９】
請求項３の発明は、請求項２に記載の電磁流量計において、作動判別手段により定量ポンプが作動中でないと判別され、かつ、平均流量判別手段により流体流動中であると判別された場合に、異常の報知を行う異常報知手段を備えたところに特徴を有する。
【発明の効果】
【００１０】
［請求項１の発明］
定量ポンプが実際に作動しているときは、異常がない限り、流量が基準ピーク値を超える脈流が発生し、その発生間隔は基準脈動期間より短い。このとき、本発明の電磁流量計では、定量ポンプが作動中であると判別し、その作動期間中の流量を流量積算値に含める。これに対し、定量ポンプが停止しているときは、異常がない限り流体は静止しており、流量は実質的にゼロになる。即ち、定量ポンプが再び作動するまで脈流が発生しないため、脈流の発生間隔が基準脈動期間より長くなる。このとき、本発明の電磁流量計では、定量ポンプが作動中ではないと判別し、この非作動期間中の流量を流量積算値から排除する。このように、本発明の電磁流量計は、流量が実質的にゼロとなっている期間の流量は流量積算値に含めないようにしつつも、基準脈動期間より短い間隔で脈流が発生している期間の流量は、もれなく流量積算値に含めることができるから、流量が脈動的に変化して流される流体の流量積算値の計測にも適する。
【００１１】
［請求項２の発明］
請求項２の発明によれば、定量ポンプが作動中でないと判別した場合に、所定期間における流量の平均値と平均基準値とを比較し、平均基準値以上であれば、流体が流動中であると判別する。そして、この異常流動期間中の流量を流量積算値に含める。つまり、定量ポンプが作動していると判別された作動期間のみならず、定量ポンプが作動していないと判別された非作動期間中の流量でも、流体が実際に流れていると判別されれば、その流量を流量積算値に含めることができる。換言すれば、定量ポンプが停止しかつ流体が静止していると判別されたときの流量だけを流量積算値から排除する。これにより、例えば、定量ポンプの作動以外の要因で流れた場合や、定量ポンプの異常により脈流が基準ピーク値に満たない状態で流れた場合の流量も、流量積算値に含めることができ、流量の積算漏れを確実に防止することができる。
【００１２】
［請求項３の発明］
請求項３の発明によれば、流体の異常な流動に対して早期に対応することが可能となる。
【発明を実施するための最良の形態】
【００１３】
以下、本発明の一実施形態を図１〜図４に基づいて説明する。図１には、薬液混合装置２０が示されている。この薬液混合装置２０には、送給管１６と、図示しない貯水タンクから送給管１６に水を引き込むための給水ポンプ１７が備えられている。給水ポンプ１７は、送給管１６の端部に配置され、例えば、給水制御ユニット１８によって駆動制御可能となっている。そして給水ポンプ１７により送給管１６に引き込まれた水に、所定の混合率で、本発明に係る「流体」としての薬液（例えば、液肥、農薬等）が混合され、所定の箇所に送給される。なお、薬液としては、液肥や農薬の他に、工業用薬品や水処理用薬品等が挙げられる。
【００１４】
給水制御ユニット１８には、例えば、タイマー機能が備えられており、所定の時刻になったら給水ポンプ１７を起動して所定の運転時間Ｔｏｎ（例えば、２０〜３０分）に亘って連続運転し、その後、所定の停止時間Ｔｏｆｆ（例えば、２０〜３０分）に亘って給水ポンプ１７を停止する（図３（Ａ）を参照）。これにより、自動で給水の開始と停止が行われる。なお、給水ポンプ１７の運転時間Ｔｏｎと停止時間Ｔｏｆｆは任意に設定可能である。
【００１５】
薬液混合装置２０は、薬液を貯留した薬液タンク２２を備えている。薬液タンク２２の底面からは管路２３が延びており、その管路２３の先端が送給管１６に接続されている。そして、管路２３の途中に定量ポンプ２４が備えられている。
【００１６】
定量ポンプ２４は、例えば、ダイアフラム式の電磁定量ポンプであり、多数のメーカから市販されている公知の構造をなしている。この定量ポンプ２４は、給水ポンプ１７が前記運転時間Ｔｏｎ（２０〜３０分）に亘って連続運転している期間に合わせて間欠動作し、給水ポンプ１７が前記停止時間Ｔｏｆｆに亘って停止している期間に合わせて間欠動作を停止する。即ち、定量ポンプ２４は、給水ポンプ１７の運転に合わせて、ダイアフラムの往復動により一定量の薬液を吐出する吐出動作を間欠的に繰り返し、給水ポンプ１７の停止に合わせてその吐出動作を停止する。
【００１７】
図１に示すように、薬液混合装置２０には、定量ポンプ２４による薬液の吐出タイミングを制御するためにコントローラ２６が設けられている。コントローラ２６は、定量ポンプ２４に対して吐出指令信号Ｒを付与している。図３（Ａ）及び図３（Ｂ）に示すように、吐出指令信号Ｒは常にはオフであり、給水ポンプ１７の運転期間Ｔｏｎ内に限り、予め設定した周期Ｔ１でオンオフ切り替えされる。そして、吐出指令信号Ｒがオフからオンに切り替わる毎にダイアフラムにより吐出動作が行われ、毎回、一定量の薬液が定量ポンプ２４から吐出される。
【００１８】
図３（Ｂ）及び図３（Ｃ）の点線で示すように、給水ポンプ１７の運転に伴い吐出指令信号Ｒがオンとオフとに切り替えられると、薬液の実際の流量ｄＳｒが脈動的に変化する（脈流が発生する）。また、給水ポンプ１７の停止に伴い吐出指令信号Ｒがオフに保持されると薬液が流れないので、実際の流量ｄＳｒがゼロで一定となる。ここで、流量は流速に流路の断面積を乗じたものであるから、図３（Ｃ）では、実際の流量ｄＳｒと実際の流速Ｖｒとがスケールを一致させて示されている。
【００１９】
ここで、定量ポンプ２４による薬液の送出量は、ダイアフラムの往復ストローク量の大小により変更することも可能であるが、通常は、吐出動作の周期（吐出指令信号Ｒがオンに切り替わる周期Ｔ１）の長短により変更される。また、図１では、コントローラ２６と定量ポンプ２４とを別々の装置として示してあるが、コントローラ２６と定量ポンプ２４とを一体にした（例えば、定量ポンプ２４にコントローラ２６を内蔵した）構成でもよいことは勿論である。
【００２０】
上述したように定量ポンプ２４は給水ポンプ１７が連続運転中であるときにのみ間欠動作する。そのために、コントローラ２６は、給水ポンプ１７が連続運転中であるか否かを識別するためのポンプ動作識別信号を給水制御ユニット１８から取得している。
【００２１】
コントローラ２６は、予め設定された基準混合率と、送給管１６を流れる水の流量とに応じて、定量ポンプ２４による薬液の送出量の目標値を決定している。そして、水の流量を計測するために送給管１６のうち定量ポンプ２４の排出口との連結部分と給水ポンプ１７との間には、公知な構造を有した電磁流量計２８が設けられている。この電磁流量計２８は、給水ポンプ１７が運転されて流された水の流量とその積算値の両方を計測してコントローラ２６に付与している。
【００２２】
また、定量ポンプ２４により目標送出量通りの薬液が送給されているか否かをコントローラ２６が確認するために、管路２３のうち定量ポンプ２４の下流側には、本発明に係る電磁流量計４０が設けられている。
【００２３】
電磁流量計４０は、管路２３に連通した図示しない計測流路と、その計測流路に側方から対向した図示しない電磁コイルと、計測流路内において薬液に接触する１対の図示しない電極とを有しており、計測流路を流れる薬液に磁界を付与し、これにより薬液に発生した誘起電圧Ｅを検出している。そして、電磁流量計４０に備えた図示しないＣＰＵが、誘起電圧Ｅに所定の定数を乗じて薬液の流速Ｖを演算し、その流速Ｖに電磁流量計４０における計測流路の断面積Ａを乗じて流量ｄＳを演算し、さらに、流量ｄＳを積算して流量積算値Ｑを演算している。そして、電磁流量計４０は、上記した流量ｄＳ及び流量積算値Ｑをコントローラ２６に付与している。
【００２４】
ここで、図４（Ａ）には、電磁流量計４０が誘起電圧Ｅから演算した流量ｄＳの時間変化を示したグラフの一例が示されている。また、図４（Ｂ）には、電磁流量計４０がコントローラ２６に付与する流量ｄＳの時間変化を示したグラフの一例が示されている。そして、図４（Ｂ）に示された流量ｄＳを積算した値（図４（Ｂ）の斜線部分の総面積）が、電磁流量計４０がコントローラ２６に付与する流量積算値Ｑである。
【００２５】
電磁流量計４０のＣＰＵは、図２に示した演算制御プログラムＰＧ１（本発明に係る「流量積算値演算手段」に相当する）を所定周期で繰り返し実行している。演算制御プログラムＰＧ１が実行されると、上述の如く流速Ｖ及び流量ｄＳを計測する（Ｓ１）。
【００２６】
次いで、脈流の発生間隔に基づいて定量ポンプ２４が作動中か否かを判別する。即ち、定量ポンプ２４が実際に作動しているときは、異常がない限り、脈流の発生間隔は、予め設定された基準脈動期間Ｌｓより短くなり、定量ポンプ２４が停止しているときは、異常がない限り、脈流の発生間隔は基準脈動期間Ｌｓより長くなる。
【００２７】
そこで、ステップＳ２では、タイマ又はカウンタに基づいて、前回の脈流を検出してから予め設定した基準脈動期間Ｌｓが経過したか否かを判別する。基準脈動期間Ｌｓに達していない場合（Ｓ２でＮＯ）には、定量ポンプ２４が作動中であると判別して、その時点で計測された流量ｄＳに計測間隔ΔＴ（演算制御プログラムＰＧ１の実行周期）を乗じた値を、流量積算値Ｑに加算する（Ｓ５）。
【００２８】
一方、前回の脈流検出から基準脈動期間Ｌｓが経過した場合（Ｓ２でＹＥＳ）には、流量ｄＳが予め設定された基準ピーク値ＰＫ１（図４（Ａ）を参照）を超えたか否かを判別する（Ｓ３）。
【００２９】
流量ｄＳが基準ピーク値ＰＫ１を超えた場合（Ｓ３でＹＥＳ）、即ち、新たに脈流を検出した場合には、脈流検出処理（Ｓ４）として、例えば、タイマ又はカウンタを０クリアし、新たに計時を開始する。そして、その時点の流量ｄＳに計測間隔ΔＴを乗じた値を流量積算値Ｑに加算する（Ｓ５）。
【００３０】
これに対し、上記ステップＳ３において、流量ｄＳが基準ピーク値ＰＫ１を超えていない場合（Ｓ３でＮＯ）、即ち、前回の脈流検出から基準脈動期間Ｌｓが経過しても次の脈流が検出されなかった場合は、定量ポンプ２４が作動中ではないと判別し、薬液が流動中か否かを判別する。
【００３１】
具体的には、所定期間（例えば、前回の脈流検出から現在までの間）における流量ｄＳの平均値ＡｄＳが、予め設定された平均基準値ＡＶ１を超えたか否かを判別する（Ｓ６）。流量ｄＳの平均値ＡｄＳが平均基準値ＡＶ１以上である場合（Ｓ６でＹＥＳ）は、定量ポンプ２４が作動中ではないにも拘わらず、実際には薬液が流動している「異常流動期間中」であるとして、例えば、電磁流量計４０に備えた図示しないランプ又はブザーにより異常報知（Ｓ７）を行う。そして、その時点の流量ｄＳに計測間隔ΔＴを乗じた値を流量積算値Ｑに加算する（Ｓ５）。
【００３２】
一方、流量ｄＳの平均値ＡｄＳが、予め設定された平均基準値ＡＶ１以下である場合（Ｓ６でＮＯ）には、薬液は流動しておらず実質的に流量ｄＳが「０」であるとして、その時点での流量ｄＳを流量積算値Ｑに含めることなく、直ちに、この演算制御プログラムＰＧ１を抜ける。
【００３３】
ここで、演算制御プログラムＰＧ１の各ステップＳ２，Ｓ３，Ｓ６で用いられる設定値Ｌｓ，ＰＫ１，ＡＶ１は以下のような値である。即ち、基準脈動期間Ｌｓは、例えば、吐出指令信号Ｒがオフからオンに切り替わる周期Ｔ１より十分長い期間に設定されている。また、基準ピーク値ＰＫ１は、正常な定量ポンプ２４の作動により発生し得る脈流の流量ｄＳのピーク値より小さい値（例えば、ピーク値に「１」未満の係数を乗じた値）に設定されている。また、平均基準値ＡＶ１は、基準ピーク値ＰＫ１より小さい値である。本実施形態では、例えば、ダイヤフラムの往復ストローク量を最小（例えば、最大時の３０％）にしたときに発生する脈流の流量ｄＳのピーク値より小さい値（例えば、ピーク値に「０．５」を乗じた値）に設定されている。
【００３４】
本実施形態では、上記したステップＳ３により、本発明に係る「脈流検出手段」が構成され、上記ステップＳ２及びＳ３により、本発明に係る「作動判別手段」が構成され、ステップＳ６により、本発明に係る「平均流量判別手段」が構成され、上記ステップＳ７及びランプ、ブザーにより、本発明に係る「異常報知手段」が構成されている。
【００３５】
本実施形態の構成は以上である。次に、本実施形態の作用効果について説明する。コントローラ２６は、給水制御ユニット１８から取得したポンプ動作識別信号により給水ポンプ１７が運転期間Ｔｏｎであるか否かを認識する。そして、給水ポンプ１７の運転期間Ｔｏｎは、コントローラ２６が、吐出指令信号Ｒを所定の周期Ｔ１でオンオフ切り替えする（図３（Ｂ）を参照）。吐出指令信号Ｒがオンになる毎に、定量ポンプ２４に備えたダイアフラムが吐出動作を行い、毎回、一定量の薬液が管路２３を流れる。これにより、薬液が定量ポンプ２４から電磁流量計４０を通過して送給管１６へと一定量ずつ間欠的に送給される。
【００３６】
電磁流量計４０は、薬液の流量ｄＳ及び流量積算値Ｑを計測するために、薬液に磁界を付与し、その薬液に発生した誘起電圧Ｅを検出する。そして、その誘起電圧Ｅに基づいて流量ｄＳを求め（図２のＳ１）、流量ｄＳを積算して流量積算値Ｑを求める（図２のＳ５）。
【００３７】
ここで、電磁流量計４０で実測される誘起電圧Ｅには、一般に、ノイズ電圧成分が重畳されている。このため、図３（Ｃ）に対比して示すように、誘起電圧Ｅから演算した流量ｄＳと実際の流量ｄＳｒとの間には、流量ｄＳの大きさに拘わらず常に、このノイズ電圧成分に起因した誤差ｄＳｃ（＝ｄＳ−ｄＳｒ）が生じる。
【００３８】
これに対し、本実施形態の電磁流量計４０では、定量ポンプ２４が作動中である（図２のステップＳ２でＮＯ）と判別されたときの流量ｄＳは、もれなく流量積算値Ｑに含める一方、定量ポンプ２４が作動中ではない（図２のＳ３でＮＯ）と判別されかつ、薬液が流動中ではない（図２のステップＳ６でＮＯ）と判別された期間（図４における符号Ｌ１）の流量ｄＳは、流量積算値Ｑに含めない。
【００３９】
つまり、定量ポンプ２４の停止に伴い実質的に流量が「０」のときの誘起電圧Ｅ（ノイズ電圧成分）から演算された流量ｄＳが流量積算値Ｑに含められないようになっている。これにより、薬液の流量積算値Ｑを精度よく計測することができる。なお、定量ポンプ３４が作動中であると判別されている期間の流量ｄＳは、その平均値ＡｄＳが、仮に、平均基準値ＡＶ１未満であっても流量積算値Ｑに含められる。
【００４０】
また、何らかの理由で、脈流のピーク値が基準ピーク値ＰＫ１に満たない状態が続いた場合には、実際には薬液が間欠的に流れているにも拘わらず、定量ポンプ２４が作動中でない（ステップＳ２でＹＥＳ，ステップＳ３でＮＯ）と判別され得る。しかしながら、実際に薬液が流れているのであれば、その分、流量ｄＳの平均値ＡｄＳは増加し、平均基準値ＡＶ１以上となる。そして、このような「異常流動期間」の流量ｄＳは、定量ポンプ２４が作動中ではないと判別されていても、流量積算値Ｑに含める。
【００４１】
このように、本実施形態の電磁流量計４０は、定量ポンプ２４の停止により前回の脈流を検出してから基準脈動期間Ｌｓを経過しても次の脈流が検出されず、流量が実質的にゼロであると判別される期間の流量ｄＳは流量積算値Ｑに含めずに、定量ポンプ２４が正常に作動して基準脈動期間Ｌｓより短い間隔で脈流が発生している期間の流量ｄＳは、もれなく流量積算値Ｑに含めるから、流量ｄＳが脈動的に変化して流される流体の流量積算値Ｑの計測にも適する。
【００４２】
また、定量ポンプ２４が作動していないと判別された場合でも、薬液が実際に流れていれば、その期間の流量ｄＳを流量積算値Ｑに含めることができる。換言すれば、誘起電圧Ｅから求めた流量ｄＳのうち、定量ポンプ２４の停止により薬液が静止しているとき（流量ｄＳが実質的に「０」のとき）の流量ｄＳだけを流量積算値Ｑから排除する。これにより、例えば、定量ポンプ２４の作動以外の不測の要因により流れた場合や、定量ポンプ２４の異常により基準ピーク値ＰＫ１に満たない状態で脈動的に流れた場合の流量ｄＳも、流量積算値Ｑに含めることができ、流量ｄＳの積算漏れを確実に防止することができる。
【００４３】
しかも、定量ポンプ２４が作動中でないと判別され、かつ、薬液が流動中であると判別された場合には、ランプやブザーによって、異常な流動が起きていることを報知するので、その異常流動に対して早期に対処することが可能となる。
【００４４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４５】
（１）前記実施形態では、流量ｄＳと基準ピーク値ＰＫ１との大小を比較していたが、流速Ｖと所定の基準ピーク値ＰＫ２との大小を比較する構成としてもよい。ここで、流量ｄＳを求める演算式（ｄＳ＝Ａ・Ｖ）には流速Ｖが含まれるので流速Ｖと所定の基準ピーク値ＰＫ２（＝ＰＫ１／Ａ）との大小を比較する構成は、実質的には、流量ｄＳと基準ピーク値ＰＫ１とを比較している構成と同じである。従って、流量ｄＳの代わりに流速Ｖと所定の基準ピークＰＫ２値との大小を比較する構成の電磁流量計４０も本発明の技術的範囲に入る。
【００４６】
（２）前記実施形態では、定量ポンプ２４の下流に電磁流量計４０が備えられていたが、定量ポンプ２４の上流に電磁流量計４０を備えた構成にしてもよい。
【００４７】
（３）前記実施形態では、電磁定量ポンプ２４が作動していないと判別されかつ、薬液が流動中でないと判別された場合に、その時点で計測された流量ｄＳを流量積算値Ｑに含めないように構成されていたが、電磁定量ポンプ２４が作動していないと判別した場合には、薬液が流動中か否かに拘わらず、その時点の流量ｄＳを一切、流量積算値Ｑに含めないようにしてもよい。
【００４８】
具体的には、図５に示す演算制御プログラムＰＧ２のように、上記第１実施形態の演算制御プログラムＰＧ１におけるステップＳ６，Ｓ７を省略して、流量ｄＳが予め設定された基準ピーク値ＰＫ１を超えていないと判別された場合（Ｓ３でＮＯ）に、ステップＳ５の積算処理を実行せずに、直ちに、演算制御プログラムＰＧ２を抜けるように構成すればよい。
【００４９】
（４）上記実施形態では、定量ポンプ２４が作動中であると判別された期間の流量ｄＳを全て流量積算値Ｑに含めるように構成されていたが、脈流同士の合間であって実際の流量ｄＳｒがゼロとなる期間の流量ｄＳは、流量積算値Ｑに含めないようにしてもよい。これにより、流量積算値Ｑをさらに精度よく計測することが可能となる。
【００５０】
（５）上記実施形態では、「定量ポンプ」の一例としてダイヤフラム式の電磁定量ポンプを例示したが、定量ポンプは、ダイヤフラム式や電磁式に限るものではなく、その他の構造（例えば、ピストン式）の定量ポンプでもよい。
【００５１】
（６）基準ピーク値ＰＫ１を、例えば、ダイアフラムの往復ストローク量を最小としたときに発生する脈流の流量ｄＳのピーク値より十分に小さい値に設定しておけば、実質的に、定量ポンプ２４が作動している限り（定量ポンプ２４が停止して実際の流量ｄＳｒが「０」にならない限り）、流量ｄＳが流量積算値Ｑに含めて演算されることになる。
【図面の簡単な説明】
【００５２】
【図１】本発明の一実施形態に係る薬液混合装置の概念図
【図２】演算制御プログラムのフローチャート
【図３】（Ａ）給水ポンプの運転状態を示したグラフ、（Ｂ）吐出指令信号の変化を示したグラフ、（Ｃ）誘起電圧から演算した流量の変化と実際の流量の変化とを示したグラフ
【図４】（Ａ）誘起電圧から演算した流量の変化を示したグラフ、（Ｂ）コントローラに付与する流量の変化を示したグラフ
【図５】他の実施形態（５）に係る演算制御プログラムのフローチャート
【符号の説明】
【００５３】
２４    定量ポンプ
４０    電磁流量計
ＡｄＳ    流量の平均値
ＡＶ１    平均基準値
Ｌｓ    基準脈動期間
ＰＧ１，ＰＧ２    演算制御プログラム（流量積算値演算手段）
ＰＫ１    基準ピーク値
Ｑ    流量積算値
ｄＳ    流量
【図１】
2008107113.tif 000003
【図２】
2008107113.tif 000004
【図３】
2008107113.tif 000005
【図４】
2008107113.tif 000006
【図５】
2008107113.tif 000007